(57)【要約】【課題】  使用法の説明を必要とせず、かつまた別部品も必要としない卓上写真立てを提供する。【解決手段】  額縁部と、その背後に配置され、写真、絵画、カレンダー等の目的物を額縁部との間にて挟み込む裏板部及び裏板部の背面にて、額縁部、裏板部から成る本体を自立させる支え部を有する卓上写真立て類の支え装置である。  裏板部１４の背面に実質的に正方形又は長方形の支持板１６を配置し、支持板には、対角線又はそれとほぼ沿った方向の折り曲げ線１７を高めて、折り曲げ線１７の一方を裏板部に貼り合わせ、折り曲げ線１７の他方は谷折りすることにより支え部を形成し、支え部が元に戻るのを防ぐために折り曲げ線を越えて裏板部１４に接触し曲げ反力に対抗する戻り止め１８を折り曲げ線状に設けたことを特徴とする。【選択図】          図１
2005137706.tif 000002
【特許請求の範囲】
【請求項１】
額縁部と、その背後に配置され、写真、絵画、カレンダー等の目的物を額縁部との間で挟み込む裏板部及び裏板部の背面にて額縁部、裏板部から成る本体を自立させる支え部を有する卓上写真立て類の支え装置であって、裏板部の背面に実質的に正方形又は長方形の支持板を配置し、支持板には、対角線又はそれとほぼ沿った方向の折り曲げ線を定めて折り曲げ線の一方を裏板部に貼り合わせ、折り曲げ線の他方は谷折りすることにより支え部を形成し、支え部が元に戻るのを防ぐために折り曲げ線を越えて裏板部に接触し曲げ反力に対抗する戻り止めを折り曲げ線上に設けたことを特徴とする卓上写真立て類の支え装置。
【請求項２】
本体が長方形のときなど、縦置き時に、支え部の設置幅が狭いために安定性の不足するおそれもある場合には、支え部の接地幅を、当該長方形の長辺と同寸程度まで増すことができる請求項１記載の卓上写真立て類の支え装置。
【発明の詳細な説明】
【技術分野】
【０００１】
本発明は、額縁部と、その背後に配置され、写真、絵画、カレンダー等の目的物を額縁部との間で挟み込む裏板部及び裏板部の背面にて額縁部、裏板部から成る本体を自立させる支え部を有する卓上写真立てに関するものである。
【背景技術】
【０００２】
この種のものは厚紙製品を主として、様々な形態を持ったものが存在している。例えば実開昭５５−８９６６６号の考案は、厚紙製背板に切り込みを入れ、これを引き起こして支持片を形成した構成を有する。しかしこのような製品では、支持片とこれを一定の状態に固定しておく固定片とを接合して使用するので、使用法の説明書を貼付する必要があった。背板の一部を折り曲げて支持片を形成しているが、支持片の開き度を制限するために紐を用いており、したがって別部品である紐と、それを取り付ける手間が必要であった。
【０００３】
【特許文献１】実開昭５５−８９６６６
【特許文献２】実開昭５９−１３９１７１
【発明の開示】
【発明が解決しようとする課題】
【０００４】
本発明は前記の点に着目してなされたもので、その課題は、使用法の説明を必要とせ
ず、かつまた、別部品も必要としない卓上写真立てを提供することである。また本発明の他の課題は長方形でも正方形でも、また縦置きにも横置きにも対応できる卓上写真立てを提供することである。
【課題を解決するための手段】
【０００５】
前記の課題を解決するため本発明は、卓上写真立て類の支え装置について、裏板部の背面に実質的に正方形又は長方形の支持板を配置し、支持板には、対角線又はそれとほぼ沿った方向の折り曲げ線を定めて折り曲げ線の一方を裏板部に貼り合わせ、折り曲げ線の他方は谷折りすることにより支え部を形成し、支え部が元に戻るのを防ぐために折り曲げ線を越えて裏板部に接触し曲げ反力に対抗する戻り止めを折り曲げ線上に設けるという手段を講じたものである。
【０００６】
本発明に係る卓上写真立て類の支え装置は、額縁部と、その背後に配置され、写真、絵画、カレンダー等の目的物を額縁部との間で挟み込む裏板部及び裏板部の背面にて額縁
部、裏板部から成る本体を自立させる支え部を有する。この本体は、正方形又は長方形であることが望ましいけれども、それ以外の例えば不定形でも本発明を適用することは可能である。
【０００７】
これに対して、裏板部の背面に配置する支持板は、実質的に正方形又は長方形とする方が良い。その支持板の対角線に相当する線を設定し、対角線又はそれにほぼ沿った方向の折り曲げ線を定め、折り曲げ線を境に、一方を裏板部の背面に貼り合わせ、他方を支え部とする。支え部は、折り曲げ線に沿って支持板を谷折りすることによって形成される。
【０００８】
裏板部の背面に位置する支持板の平面形状は、基本的には裏板部即ち本体と同形で良
い。本体が正方形であるときは支持板も正方形、本体が長方形のときには支持板も長方形で良く、どちらの場合にも、対角線で折り曲げた支え部により本体を支えることができ
る。しかし、本体が長方形の時には、縦置き時に、支え部の設置幅が狭いために安定性の不足するおそれもあり、その場合には支え部の接地幅を増すことができる。接地幅を増す目安としては、当該長方形の長辺と同寸まであれば十分である（図４参照）。
【０００９】
本発明の支え片は、その一部に折り曲げ線を越えて設けた戻り止めが裏板部の背面に接触して突っ張る。折り曲げ線を越えて突っ張るので、戻り止めが折れないようにその折り曲げ線を越える寸法及び材厚などの強度を決定する。また、折り曲げ線にて支持板の一部を谷折りし、戻り止めが折り曲げ線を越えることを可能にするために、支持板を全部貼り合わせず、折り曲げ線付近では戻り止めの移動に伴ない支持板が浮き上がれるように弾性或いは柔軟性を与えておく。なお戻り止めは１個に限らない。
【００１０】
このようにすれば、本体を自立させる支え部が、単純な折り曲げという作業だけで所期の状態にセットされる。支え部は、折り曲げ線における折り曲げによる弾性反力が働いているため戻り方向にあるが、その曲げ反力に戻り止めが対抗することにより、一定の開き具合に維持されるものである。
【発明の効果】
【００１１】
本発明は以上の如く構成されかつ作用するものであるから、本体背面を一見するだけで使用方法を了解することができるので、使用法の説明書を必要とせず、また別部品も必要ないので、より製造コストを下げることができ、さらに長方形でも正方形でも、また縦置きにも横置きにも対応する卓上写真立て類の支え装置を提供することができるという効果を奏する。
【発明を実施するための最良の形態】
【００１２】
以下図示の実施形態により本発明をより詳細に説明する。図１、図２は本発明に係る卓上写真立ての支え装置１１の背面側と正面側を示すもので、卓上写真立て１０は、額縁部１２と、その背面に一部で貼り合わされかつ間に写真、絵画、カレンダー等の目的物１３を挟み込む裏板部１４を有している。額縁部１２と裏板部１４とは、正面形状が正方形の本体１５を構成する。
【００１３】
本体１５の裏板部１４の背面には、本体１５と同形同大の支持板１６が配置される。図１、図２における支持板１６は図３に示す正方形のものである。支持板１６は対角線の全域に及ぶ折り曲げ線１７を有し、かつその一部に折り曲げ線１７を越えて突出する戻り止め１８が設けられている。例示の戻り止め１８は折り曲げ線１７の一部に凸状に切り込み１９を入れたもので、折り曲げ線１７と切り込み１９の先端との間隔Ａつまり突出量は、支え部となる辺部２０の本体からの突出量を左右する。図１の例では、正方形本体１５であるので、辺部２０の長さは全て同一であり、したがって縦配置、横配置の区別もない。
【００１４】
図４に示した長方形本体２１の場合には、支持板２２に僅かな変形を加えることができる。即ち、短辺部２３と長辺部２４を有する長方形本体２１の場合、短辺部２３に延長部２５を設けて長辺部２４と同じ辺長にし、不必要な隅部２６を除去した支持板２２を設ける。この場合、短辺部２３を１辺とする正方形を想定してその正方形の対角線を折り曲げ線２７とする。折り曲げ線２７を越えて突出する戻り止め２８と、これを切り込み２９によって設けていることは前記の例１と同じである。
【００１５】
このような構成を有する本発明では、本体１５の額縁部１２と裏板部１４の間に写真その他の目的物１３を挟み込ませる（図５）。さらに、本体背面に一部が接着されている支持板１６の、折り曲げ線１７、２７よりも外方の部分を谷折りするとともに、その折り曲げ過程において、戻り止め１８、２８を折り曲げ線１７、２７を越えさせ（図６）、谷折りを完遂すると、戻り止め１８、２８が支えとなって折り曲げ線１７、２７の外方が支え部３０として突出する。かくして、本体１５、２１は、辺部２０又は長辺部２４若しくは短辺部２３が卓面等に線上に接触して縦置き或いは横置きの状態を保持し、安定に自立させる状態になる（図７）。
【図面の簡単な説明】
【００１６】
【図１】本発明に係る卓上写真立て類の支え装置の実施例を示す背面斜視図。
【図２】同上のものの正面斜視図。
【図３】正方形の例の背面図。
【図４】長方形の例の背面図。
【図５】全体の断面図。
【図６】支え部を折り曲げ、折り曲げ線を越えようとする状態を示す要部拡大図。
【図７】戻り止めが裏板部に接触している状態を示す要部拡大図。
【符号の説明】
【００１７】
１０  卓上写真立て
１１  支え装置
１２  額縁部
１３  目的物
１４  裏板部
１５、２１  本体
１６、２２  支持板  
１７、２７  折り曲げ線
１８、２８  戻り止め
１９、２９  切り込み
【図１】
2005137706.tif 000003
【図２】
2005137706.tif 000004
【図３】
2005137706.tif 000005
【図４】
2005137706.tif 000006
【図５】
2005137706.tif 000007
【図６】
2005137706.tif 000008
【図７】
2005137706.tif 000009